(57)【要約】【課題】唾液に含まれるニオイ物質を効率良く採取することのできる試料採取デバイス、試料採取方法、およびニオイ検出装置を提供する。【解決手段】試料採取デバイス５０は、舌Ｔの表面の唾液が採取される上面６１ａを有する第１基板６１と、下面７１ａを有する第２基板７１と、を備え、第１基板６１は第１部材６０に設置され、第２基板７１は第２部材７０に設置されている。第１基板６１の上面６１ａおよび第２基板７１の下面７１ａは、粗面を有し、舌Ｔの表面の唾液が採取された上面６１ａと下面７１ａとがこすりあわされる。【選択図】図４
2012237617.tif 000002
【特許請求の範囲】
【請求項１】
舌の表面の唾液が採取される第１の面を有する第１の基板と、
第２の面を有する第２の基板と、を備え、
前記第１の面および前記第２の面は、粗面を有し、
前記唾液が採取された前記第１の面と前記第２の面とがこすりあわされる
ことを特徴とする試料採取デバイス。
【請求項２】
前記第２の面に凸部が形成されている
ことを特徴とする請求項１に記載の試料採取デバイス。
【請求項３】
前記第１の面に凹部が形成されており、
前記第１の基板および前記第２の基板は、前記第１の面と前記第２の面とをこすりあわせるときに前記凸部が前記凹部の面内を動くように、構成される
ことを特徴とする請求項１または２に記載の試料採取デバイス。
【請求項４】
前記第１の面の粗面および前記第２の面の粗面における算術平均粗さは、１０μｍ以上、かつ、５００μｍ以下である
ことを特徴とする請求項１ないし３のいずれか一項に記載の試料採取デバイス。
【請求項５】
前記唾液に含まれるニオイ物質を検出するニオイ検出装置であって、
請求項１ないし４のいずれか一項に記載の試料採取デバイスを備える
ことを特徴とするニオイ検出装置。
【請求項６】
第１の基板の第１の面を用いて舌の表面の唾液を採取するステップと、
前記第１の面と第２の基板の第２の面とをこすりあわせるステップと、を備え、
前記第１の面および前記第２の面は、粗面を有する
ことを特徴とする試料採取方法。
【発明の詳細な説明】
【技術分野】
【０００１】
本発明に係るいくつかの態様は、ニオイを発するニオイ物質を含む唾液を採取する試料採取デバイス、試料採取方法、およびニオイ検出装置に関する。
【背景技術】
【０００２】
従来、口臭などの望ましくない口腔状態を評価するために、個人の唾液サンプルを採取し、唾液サンプルを分光的、代謝学的な方法により分析することで、口腔健康度合いを算定する方法（例えば特許文献１参照）が知られている。この方法では、清浄な水道水などを使用して口腔を濯いだ後、口の中の内容物をバイアル瓶に吐き出させることで、唾液サンプルを採取している。
【先行技術文献】
【特許文献】
【０００３】
【特許文献１】特表２００９−５４５７４０号公報
【発明の概要】
【発明が解決しようとする課題】
【０００４】
ここで、唾液に含まれるニオイ物質を分析する場合、ニオイ物質以外の成分、例えば、水分などがノイズ成分となり得る。しかしながら、特許文献１に記載された方法では、唾液サンプルに多くの水分（水分子）が含まれるので、ニオイ物質を効率良く採取することができない、という問題があった。
【０００５】
本発明のいくつかの態様は前述の問題に鑑みてなされたものであり、唾液に含まれるニオイ物質を効率良く採取することのできる試料採取デバイス、試料採取方法、およびニオイ検出装置を提供することを目的の１つとする。
【課題を解決するための手段】
【０００６】
本発明に係る試料採取デバイスは、舌の表面の唾液が採取される第１の面を有する第１の基板と、第２の面を有する第２の基板と、を備え、第１の面および第２の面は、粗面を有し、前述の唾液が採取された第１の面と第２の面とがこすりあわされる。
【０００７】
かかる構成によれば、第１の面によって、舌の表面の唾液が採取される。ここで、唾液に含まれる連鎖球菌、腐敗菌、嫌気性細菌などが増殖すると、例えば、酪酸、硫化物、インドール、アンモニア、などのニオイを発するニオイ物質を繁殖（増殖）させる。一方、舌の表面には、唾液の他に、細菌類やタンパク質を多く含む舌苔が付着している。これらの舌苔に含まれる細菌類やタンパク質も、ニオイ物質を繁殖（増殖）させる。よって、舌の表面の唾液を採取することより、ニオイ物質となり得る舌苔を採取することができる。また、第１の面が粗面を有する。これにより、唾液を採取するときに、第１の面に舌の表面の唾液と舌苔とが付着し易くなる。
【０００８】
さらに、唾液が採取された第１の面と第２の面とがこすりあわされる。これにより、こすりあわせたときの摩擦熱によって、唾液中の水分を蒸発させることが可能となる。また、第２の面が粗面を有する。これにより、第１の面と第２の面とをこすりあわすことにより、唾液や舌苔に含まれる細菌を破砕することができ、細菌中に含まれるニオイ物質となり得る物質を繁殖（増殖）させることが可能となる。このように、唾液とともに舌苔を採取することができ、第１の面に舌の表面の唾液と舌苔とが付着し易くなり、唾液中の水分を蒸発させることが可能となり、唾液や舌苔に含まれる細菌を破砕することができ、細菌中に含まれるニオイ物質となり得る物質を繁殖（増殖）させることが可能となるので、従来のように単に唾液を採取する場合と比較して、唾液に含まれるニオイ物質を効率良く採取することができる。
【０００９】
好ましくは、第２の面に凸部が形成されている。
【００１０】
かかる構成によれば、第２の面には、凸部が形成されている。これにより、第１の面と第２の面とのこすりあわせが容易になる。これにより、唾液に含まれるニオイ物質をさらに効率良く採取することができる。
【００１１】
好ましくは、第１の面に凹部が形成されており、第１の基板および第２の基板は、第１の面と第２の面とをこすりあわせるときに凸部が凹部の面内を動くように、構成される。
【００１２】
かかる構成によれば、第１の面には、凹部が形成されている。これにより、第１の面によって採取された唾液が凹部に溜まり（集まり）易くなる。また、第１の面と第２の面とをこすりあわせるときに、凸部が凹部の面内を動くように、第１の基板および第２の基板が構成されている。これにより、凹部に溜まった（集まった）唾液が凸部に付着しても、凹部を越えて流れ出たり、飛び散ったりする可能性を低減することができる。これにより、唾液に含まれるニオイ物質の減少を防止することができる。
【００１３】
好ましくは、前記第１の面の粗面および前記第２の面の粗面における算術平均粗さは、１０μｍ以上、かつ、５００μｍ以下である。
【００１４】
かかる構成によれば、第１の面の粗面および第２の面の粗面における算術平均粗さが、１０μｍ以上、かつ、５００μｍ以下である。これにより、舌の表面の唾液と舌苔とが付着し易くなり、唾液や舌苔に含まれる細菌を破砕することができ、細菌中に含まれるニオイ物質となり得る物質を繁殖（増殖）させることが可能となる、第１の面の粗面および第２の面を、容易に実現することができる
【００１５】
好ましくは、前述の唾液に含まれるニオイ物質を検出するニオイ検出装置であって、前述の試料採取デバイスを備える。
【００１６】
かかる構成によれば、前述の唾液に含まれるニオイ物質を検出するニオイ検出装置であって、本発明に係る試料採取デバイスを備える。これにより、唾液に含まれるニオイ物質を効率良く採取することができるので、唾液中に微量に（低濃度で）含まれるニオイ物質を検出することができる。
【００１７】
本発明に係る試料採取方法は、第１の基板の第１の面を用いて舌の表面の唾液を採取するステップと、第１の面と第２の基板の第２の面とをこすりあわせるステップと、を備え、第１の面および前記第２の面は、粗面を有する。
【００１８】
かかる構成によれば、第１の面によって、舌の表面の唾液が採取される。ここで、唾液に含まれる連鎖球菌、腐敗菌、嫌気性細菌などが増殖すると、例えば、酪酸、硫化物、インドール、アンモニア、などのニオイを発するニオイ物質を繁殖（増殖）させる。一方、舌の表面には、唾液の他に、細菌類やタンパク質を多く含む舌苔が付着している。これらの舌苔に含まれる細菌類やタンパク質も、ニオイ物質を繁殖（増殖）させる。よって、舌の表面の唾液を採取することより、ニオイ物質となり得る舌苔を採取することができる。また、第１の面が粗面を有する。これにより、唾液を採取するときに、第１の面に舌の表面の唾液と舌苔とが付着し易くなる。
【００１９】
さらに、唾液が採取された第１の面と第２の面とがこすりあわされる。これにより、こすりあわせたときの摩擦熱によって、唾液中の水分を蒸発させることが可能となる。また、第２の面が粗面を有する。これにより、第１の面と第２の面とをこすりあわすことにより、唾液や舌苔に含まれる細菌を破砕することができ、細菌中に含まれるニオイ物質となり得る物質を繁殖（増殖）させることが可能となる。このように、唾液とともに舌苔を採取することができ、第１の面に舌の表面の唾液と舌苔とが付着し易くなり、唾液中の水分を蒸発させることが可能となり、唾液や舌苔に含まれる細菌を破砕することができ、細菌中に含まれるニオイ物質となり得る物質を繁殖（増殖）させることが可能となるので、従来のように単に唾液を採取する場合と比較して、唾液に含まれるニオイ物質を効率良く採取することができる。
【図面の簡単な説明】
【００２０】
【図１】本発明に係る試料採取デバイスの第１実施形態を説明する側面図である。
【図２】図１に示した第１基板の上面図である。
【図３】図１に示した第２基板の上面図である。
【図４】図１に示した試料採取デバイスを使用して唾液を採取する方法を説明する図である。
【図５】図１に示した試料採取デバイスを使用して唾液を採取する方法を説明する図である。
【図６】図１に示した試料採取デバイスを使用して唾液を採取する方法を説明する図である。
【図７】本発明に係る試料採取デバイスの第２実施形態を説明する側面図である。
【図８】図７に示した第１基板の上面図である。
【図９】図７に示した試料採取デバイスを使用して唾液を採取する方法を説明する図である。
【図１０】図７に示した試料採取デバイスを使用して唾液を採取する方法を説明する図である。
【図１１】本発明に係るニオイ検出装置の一例を説明する概略構成図である。
【図１２】図１１に示したニオイセンサーの断面図である。
【発明を実施するための形態】
【００２１】
以下、本発明の一実施形態について図面を参照しながら説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。なお、以下の説明において、図面の上側を「上」、下側を「下」、左側を「左」、右側を「右」という。
【００２２】
＜試料採取デバイスおよび試料採取方法＞
［第１実施形態］
図１ないし図６は、本発明に係る試料採取デバイスおよび試料採取方法の第１実施形態を示すためのものである。まず、図１ないし図３を参照して試料採取デバイスの構成について説明する。
【００２３】
図１は、本発明に係る試料採取デバイスの第１実施形態を説明する側面図である。図１に示すように、試料採取デバイス５０は、第１基板６１が設置された第１部材６０と、第２基板７１が設置された第２部材７０と、第１部材６０と第２部材７０とを連結する連結部材８０と、を含んで構成される。
【００２４】
第１基板６１は、第１部材６０の一端側（図１において右端側）に、脱着自在に設置される。第１基板６１の材料としては、例えば、ポリプロピレン、ポリスチレンなどの他に、やわらかい材料としてシリコンゴムなどが挙げられる。
【００２５】
第１部材６０において、第１基板６１が設置された面と反対側の面（図１において下面）には、第１基板６１に対向する位置に突起部材６２が設置される。一方、第１部材６０の他端側（図１において左端側）は、軸部材８１によって連結部材８０に軸支される。これにより、第１部材６０は、軸部材８１の周りに（軸部材８１を中心として）、回動する（正逆両方向に回転する）ことができる。
【００２６】
第２基板７１は、第２部材７０の一端側（図１において右端側）に、脱着自在に設置される。第２基板７１の材料としては、例えば、ポリプロピレン、ポリスチレンなどの他に、やわらかい材料としてシリコンゴムなどが挙げられる。
【００２７】
第２部材７０において、第２基板７１が設置された面と反対側の面（図１において上面）において、第２基板７１に対向する位置に突起部材７２が設置される。一方、第２部材７０の他端側（図１において左端側）は、軸部材８２によって連結部材８０に軸支される。これにより、第２部材７０は、軸部材８２の周りに（軸部材８２を中心として）、回動（正逆両方向に回転）することができる。
【００２８】
図２は、図１に示した第１基板の上面図である。図２に示すように、平面視において、第１基板６１の形状は、長手方向（縦方向）が長さａ１、短手方向（横方向）が長さｂ１、の矩形（長方形）である（ａ１＞ｂ１）。図１に示す第１部材６０の上面に露出する第１基板６１の上面６１ａは、でこぼこした粗い面（粗面）を有する。また、上面６１ａは、粗面の外周に外縁部６１ｃを有する。
【００２９】
図３は、図１に示した第２基板の上面図である。図３に示すように、平面視において、第２基板７１の形状は、長手方向（縦方向）が長さａ２、短手方向（横方向）が長さｂ２、の矩形（長方形）である（ａ２＞ｂ２）。図１に示す第２部材７０の下面に露出する第２基板７１の下面７１ａは、でこぼこした粗い面（粗面）を有する。また、下面７１ａは、粗面の外周に外縁部７１ｃを有する。
【００３０】
本実施形形態では、平面視において、第１基板６１および第２基板７１の形状として矩形（長方形）の例を示したが、これに限定されず、他の形状であってもよい。例えば、第１基板６１および第２基板７１の形状は、正方形でもよいし、多角形でも円形でも楕円形でもでもよい。
【００３１】
また、本実施形形態では、上面６１ａの一部が粗面であり、下面７１ａの一部が粗面である例を示したがこれに限定されない。例えば、上面６１ａおよび下面７１ａのうちの少なくとも一方の全部が粗面であってもよい。上面６１ａの全部が粗面である場合、外縁部６１ｃは第１基板６１の外縁となる。また、下面７１ａの全部が粗面である場合、外縁部７１ｃは第２基板７１の外縁となる。
【００３２】
なお、図１に示すように、第２基板７１の下面７１ａには、凸部７１ｂが形成されているのが好ましい。本実施形態では、凸部７１ｂとして下面７１ａの全体を凸形状に形成する例を示したが、これに限定されず、下面７１ａの一部を凸形状に形成してもよい。
【００３３】
次に、図４ないし図６を参照して、試料採取デバイス５０を使用して唾液を採取する方法について説明する。
【００３４】
図４は、図１に示した試料採取デバイス５０を使用して唾液を採取する方法を説明する図である。図４に示すように、図１に示す状態の試料採取デバイス５０から、第１部材６０および第２部材７０のうちの少なくとも一方を回転させて、試料採取デバイス５０を開く。そして、第１基板６１の上面６１ａを被験者の舌Ｔの表面に接触させた（押し当てた）まま、所定時間または所定回数動かして、舌Ｔの表面の唾液をこすりとる。これにより、第１基板６１の上面６１ａによって、舌Ｔの表面の唾液が採取される。
【００３５】
ここで、唾液に含まれる連鎖球菌、腐敗菌、嫌気性細菌などが増殖すると、例えば、酪酸、硫化物、インドール、アンモニア、などのニオイを発するニオイ物質を繁殖（増殖）させる。一方、舌の表面には、唾液の他に、細菌類やタンパク質を多く含む舌苔が付着している。これらの舌苔に含まれる細菌類やタンパク質も、ニオイ物質を繁殖（増殖）させる。よって、舌の表面の唾液を採取することより、ニオイ物質となり得る舌苔を採取することができる。
【００３６】
また、前述したように、第１基板６１の上面６１ａが粗面を有する。これにより、唾液を採取するときに、上面６１ａに舌の表面の唾液と舌苔とが付着し易くなる。
【００３７】
図５は、図１に示した試料採取デバイス５０を使用して唾液を採取する方法を説明する図である。次に、図５に示すように、第１部材６０および第２部材７０のうちの少なくとも一方を回転させて、試料採取デバイス５０を閉じる。そして、図５中にブロック矢印で示すように、突起部材６２および突起部材７２のうちの少なくとも一方を駆動して、唾液が採取された上面６１ａと第２基板７１の下面７１ａとがこすりあわされる。これにより、こすりあわせたときの摩擦熱によって、唾液中の水分を蒸発させることが可能となる。
【００３８】
また、前述したように、第２基板７１の下面７１ａが粗面を有する。これにより、上面６１ａと下面７１ａとをこすりあわすことにより、唾液や舌苔に含まれる細菌を破砕することができ、細菌中に含まれるニオイ物質となり得る物質を繁殖（増殖）させることが可能となる。
【００３９】
なお、上面６１ａの粗面および下面７１ａの粗面における算術平均粗さ（Ｒａ）は、１０［μｍ］以上、かつ、５００［μｍ］以下であることが好ましい。これにより、舌の表面の唾液と舌苔とが付着し易くなり、唾液や舌苔に含まれる細菌を破砕することができ、細菌中に含まれるニオイ物質となり得る物質を繁殖（増殖）させることが可能となる、上面６１ａおよび下面７１ａを、容易に実現することができる
【００４０】
また、第２基板７１の下面７１ａには、凸部７１ｂが形成されている。これにより、上面６１ａと下面７１ａとのこすりあわせが容易になる。
【００４１】
図６は、図１に示した試料採取デバイス５０を使用して唾液を採取する方法を説明する図である。次に、図６に示すように、第１部材６０から第１基板６１を取り外すとともに、第２部材７０から第２基板７１を取り外す。そして、取り外した第１基板６１および第２基板７１を、ガラス製などのニオイの残らない（吸着の少ない）容器９０の中に封入する。唾液に含まれるニオイ物質は、容器９０内にニオイ分子（ニオイ成分）を発する。容器９０は供給管９１を備えており、供給管９１を介して容器９０内の気体が外部に供給される。これにより、唾液に含まれるニオイ物質を検出することが可能となる。
【００４２】
本実施形態では、第１基板６１および第２基板７１を容器９０の中に封入する例を示したが、これに限定されない。例えば、第１基板６１だけを容器９０の中に封入するようにしてもよい。また、第１基板６１および第２基板７１を取り外さずに、そのまま試料採取デバイス５０を容器９０の中に封入するようにしてもよい。
【００４３】
このように、本実施形態の試料採取デバイス５０によれば、第１基板６１の上面６１ａによって、舌の表面の唾液が採取される。ここで、唾液に含まれる連鎖球菌、腐敗菌、嫌気性細菌などが増殖すると、例えば、酪酸、硫化物、インドール、アンモニア、などのニオイを発するニオイ物質を繁殖（増殖）させる。一方、舌の表面には、唾液の他に、細菌類やタンパク質を多く含む舌苔が付着している。これらの舌苔に含まれる細菌類やタンパク質も、ニオイ物質を繁殖（増殖）させる。よって、舌の表面の唾液を採取することより、ニオイ物質となり得る舌苔を採取することができる。また、第１基板６１の上面６１ａが粗面を有する。これにより、唾液を採取するときに、上面６１ａに舌の表面の唾液と舌苔とが付着し易くなる。
【００４４】
さらに、唾液が採取された上面６１ａと第２基板７１の下面７１ａとがこすりあわされる。これにより、こすりあわせたときの摩擦熱によって、唾液中の水分を蒸発させることが可能となる。また、第２基板７１の下面７１ａが粗面を有する。これにより、上面６１ａと下面７１ａとをこすりあわすことにより、唾液や舌苔に含まれる細菌を破砕することができ、細菌中に含まれるニオイ物質となり得る物質を繁殖（増殖）させることが可能となる。このように、唾液とともに舌苔を採取することができ、上面６１ａに舌の表面の唾液と舌苔とが付着し易くなり、唾液中の水分を蒸発させることが可能となり、唾液や舌苔に含まれる細菌を破砕することができ、細菌中に含まれるニオイ物質となり得る物質を繁殖（増殖）させることが可能となるので、従来のように単に唾液を採取する場合と比較して、唾液に含まれるニオイ物質を効率良く採取することができる。
【００４５】
一般に、被験者が緊張や不安を感じると唾液の分膣量が低下し、唾液はねばねばした状態になる。緊張や不安が継続し、被験者がストレスを感じ始めると、新鮮な唾液が慢性的に不足した状態になる。この結果、口の中のタンパク質が濃縮され、牛乳の乾燥したようなニオイがし始める。また、新鮮な唾液が少なくなることで、唾液中の酵素も少なくなり、嫌気性細菌が活発になり、嫌なニオイがし始める。このように、被験者がストレスを感じ続けると唾液のニオイに変化が起こることが知られている。本実施形態の試料採取デバイス５０は、唾液に含まれるニオイ物質を効率良く採取することができるので、ストレスの測定に適用することが可能である。
【００４６】
また、本実施形態の試料採取デバイス５０によれば、第２基板７１の下面７１ａには、凸部７１ｂが形成されている。これにより、上面６１ａと下面７１ａとのこすりあわせが容易になる。これにより、唾液に含まれるニオイ物質をさらに効率良く採取することができる。
【００４７】
また、本実施形態の試料採取デバイス５０によれば、上面６１ａの粗面および下面７１ａの粗面における算術平均粗さ（Ｒａ）が、１０［μｍ］以上、かつ、５００［μｍ］以下である。これにより、舌の表面の唾液と舌苔とが付着し易くなり、唾液や舌苔に含まれる細菌を破砕することができ、細菌中に含まれるニオイ物質となり得る物質を繁殖（増殖）させることが可能となる、上面６１ａおよび下面７１ａを、容易に実現することができる。
【００４８】
また、本実施形態の試料採取方法によれば、第１基板６１の上面６１ａによって、舌の表面の唾液が採取される。ここで、唾液に含まれる連鎖球菌、腐敗菌、嫌気性細菌などが増殖すると、例えば、酪酸、硫化物、インドール、アンモニア、などのニオイを発するニオイ物質を繁殖（増殖）させる。一方、舌の表面には、唾液の他に、細菌類やタンパク質を多く含む舌苔が付着している。これらの舌苔に含まれる細菌類やタンパク質も、ニオイ物質を繁殖（増殖）させる。よって、舌の表面の唾液を採取することより、ニオイ物質となり得る舌苔を採取することができる。また、第１基板６１の上面６１ａが粗面を有する。これにより、唾液を採取するときに、上面６１ａに舌の表面の唾液と舌苔とが付着し易くなる。
【００４９】
さらに、唾液が採取された上面６１ａと第２基板７１の下面７１ａとがこすりあわされる。これにより、こすりあわせたときの摩擦熱によって、唾液中の水分を蒸発させることが可能となる。また、第２基板７１の下面７１ａが粗面を有する。これにより、上面６１ａと下面７１ａとをこすりあわすことにより、唾液や舌苔に含まれる細菌を破砕することができ、細菌中に含まれるニオイ物質となり得る物質を繁殖（増殖）させることが可能となる。このように、唾液とともに舌苔を採取することができ、上面６１ａに舌の表面の唾液と舌苔とが付着し易くなり、唾液中の水分を蒸発させることが可能となり、唾液や舌苔に含まれる細菌を破砕することができ、細菌中に含まれるニオイ物質となり得る物質を繁殖（増殖）させることが可能となるので、従来のように単に唾液を採取する場合と比較して、唾液に含まれるニオイ物質を効率良く採取することができる。
【００５０】
［第２実施形態］
図７ないし図１０は、本発明に係る試料採取デバイスおよび試料採取方法の第２実施形態を示すためのものである。なお、前述した第１実施形態と同一構成部分は同一符号をもって表し、その説明を省略する。また、前述した第１実施形態と類似する構成部分は類似の符号をもって表し、その詳細な説明を省略する。さらに、図示しない構成部分は、前述した第１実施形態と同様とする。
【００５１】
図７は、本発明に係る試料採取デバイスの第２実施形態を説明する側面図である。図７に示すように、試料採取デバイス５０Ａは、第１基板６１Ａと、第２基板７１Ａと、を備える。第２基板７１Ａは、第２部材７０の一端側（図７において右端側）に、支持部材７３を介して脱着自在に設置される。支持部材７３は、図７中にブロック矢印で示す方向に伸縮するダンピング機能を有する。
【００５２】
図８は、図７に示した第１基板の上面図である。図８に示すように、第１基板６１Ａの上面６１ａは、第１実施形態と同様に、粗面と、粗面の外周に外縁部６１ｃを有する。また、図７および図８に示すように、上面６１ａの粗面には、略矩形状の凹部６１ｂが形成される。
【００５３】
本実施形形態では、平面視において、凹部６１ｂの形状として略矩形状の例を示したが、これに限定されず、他の形状であってもよい。例えば、凹部６１ｂの形状は、矩形（長方形）でもよいし、円形でも楕円形でもよい。
【００５４】
また、後述する上面６１ａと下面７１ａとをこすりあわせるときに、凸部７１ｂが凹部６１ｂの面内を動くように、第１基板６１Ａおよび第２基板７１Ａが構成されているのが好ましい。具体的には、上面６１ａと下面７１ａとをこすりあわせるときの上面６１ａと下面７１ａとの配置、第１基板６１Ａおよび第２基板７１Ａの寸法、凹部６１ｂおよび凸部７１ｂの寸法、などを設定する。例えば、下面７１ａが上面６１ａの粗面内を動いて外縁部６１ｃにはみ出さない配置、図７に示すように第１基板６１の長手方向（縦方向）の長さａ１が第２基板７１の長手方向（縦方向）が長さａ２より長い寸法（ａ１＞ａ２）、凹部６１ｂの長手方向（縦方向）の長さａ３が凸部７１ｂの長手方向（縦方向）より長い寸法（ａ３＞ａ２）が設定される。
【００５５】
本実施形形態では、平面視において、凹部６１ｂおよび凸部７１ｂの形状として円形の例を示したが、これに限定されず、他の形状であってもよい。例えば、凹部６１ｂおよび凸部７１ｂの形状の形状は、楕円形でもよいし、矩形（長方形）でもよい。
【００５６】
次に、図９および図１０を参照して、試料採取デバイス５０Ａを使用して唾液を採取する方法について説明する。
【００５７】
図９は、図７に示した試料採取デバイス５０Ａを使用して唾液を採取する方法を説明する図である。図９に示すように、第１実施形態と同様に、試料採取デバイス５０Ａを開く。そして、第１基板６１Ａの上面６１ａを被験者の舌Ｔの表面に接触させた（押し当てた）まま、所定時間または所定回数動かして、舌Ｔの表面の唾液をこすりとる。これにより、第１基板６１Ａの上面６１ａによって、舌Ｔの表面の唾液が採取される。
【００５８】
前述したように、第１基板６１Ａの上面６１ａには、凹部６１ｂが形成されている。これにより、上面６１ａによって採取された唾液が凹部６１ｂに溜まり（集まり）易くなる。
【００５９】
図１０は、図７に示した試料採取デバイス５０Ａを使用して唾液を採取する方法を説明する図である。次に、図１０に示すように、第１実施形態と同様に、試料採取デバイス５０Ａを閉じる。このとき、支持部材７３が収縮して第１基板６１Ａの上面６１ａと第２基板７１Ａの下面７１ａとが接触する。そして、図１０中にブロック矢印で示すように、突起部材６２および突起部材７２のうちの少なくとも一方を駆動して、唾液が採取された上面６１ａと第２基板７１の下面７１ａとがこすりあわされる。これにより、こすりあわせたときの摩擦熱によって、唾液中の水分を蒸発させることが可能となる。
【００６０】
前述したように、上面６１ａと下面７１ａとをこすりあわせるときに、凸部７１ｂが凹部６１ｂの面内を動くように、第１基板６１Ａおよび第２基板７１Ａが構成されている。これにより、凹部６１ｂに溜まった（集まった）唾液が凸部７１ｂに付着しても、凹部６１ｂを越えて流れ出たり、飛び散ったりする可能性を低減することができる。
【００６１】
次に、第１実施形態と同様に、第１部材６０から第１基板６１Ａを取り外すとともに、第２部材７０から第２基板７１Ａを取り外す。そして、取り外した第１基板６１Ａおよび第２基板７１Ａを、図６に示す供給管９１を備える容器９０の中に封入する。これにより、唾液に含まれるニオイ物質を検出することが可能となる。
【００６２】
このように、本実施形態の試料採取デバイス５０Ａによれば、第１基板６１Ａの上面６１ａには、凹部６１ｂが形成されている。これにより、上面６１ａによって採取された唾液が凹部６１ｂに溜まり（集まり）易くなる。また、上面６１ａと下面７１ａとをこすりあわせるときに、凸部７１ｂが凹部６１ｂの面内を動くように、第１基板６１Ａおよび第２基板７１Ａが構成されている。これにより、凹部６１ｂに溜まった（集まった）唾液が凸部７１ｂに付着しても、凹部６１ｂを越えて流れ出たり、飛び散ったりする可能性を低減することができる。これにより、唾液に含まれるニオイ物質の減少を防止することができる。
【００６３】
＜ニオイ検出装置＞
図１１および図１２は、本発明に係るニオイ検出装置の一実施形態を示すためのものである。なお、前述した本発明に係る試料採取デバイスおよび試料採取方法の実施形態と同一構成部分は同一符号をもって表し、その説明を省略する。また、図示しない構成部分は、前述した本発明に係る試料採取デバイスおよび試料採取方法の各実施形態と同様とする。
【００６４】
図１１は本発明に係るニオイ検出装置の一例を説明する概略構成図である。図１１に示すように、ニオイ検出装置１００は、唾液に含まれるニオイ物質を検出するためのものである。ニオイ検出装置１００は、複数のニオイセンサー１０が設置された測定室２０と、各ニオイセンサー１０に電気的に接続された検出部３０と、前述した本発明に係る試料採取デバイス５０の第１基板６１および第２基板７１が封入された容器９０と、を含んで構成される。
【００６５】
本実施形態では、容器９０に試料採取デバイス５０の第１基板６１および第２基板７１を封入する例を示したが、これに限定されず、試料採取デバイス５０Ａの第１基板６１Ａおよび第２基板７１Ａを容器９０に封入してもよい。
【００６６】
図１２は、図１１に示したニオイセンサーの断面図である。図１２に示すように、ニオイセンサー１０は、水晶振動子１１と、吸着膜１５と、を含んで構成される。水晶振動子１１は、水晶基板１２と、水晶基板１２の両面（図１２において上面および下面）に配置された２つの電極１３と、それぞれが電極１３に電気的に接続された２つの信号線１４と、を含んで構成される。
【００６７】
水晶振動子１１は、例えば、ＡＴカット型の水晶振動子である。水晶振動子１１は、水晶基板１２の両面に設けた電極１３間に電圧を印加すると、水晶基板１２の両面が互いにずれるように振動する、いわゆる厚みすべり振動モードで動作する。水晶振動子１１の共振周波数（共振振動数）ｆ0は、電極１３間に挟まれた水晶基板１２の厚さｔに反比例し、以下の式（１）で表すことができる。
ｆ0＝１６７０／ｔ  …（１）
但し、水晶基板１２の厚さｔの単位は［μｍ］であり、水晶振動子１１の共振周波数ｆ0の単位は［ＭＨｚ］である。
【００６８】
この水晶振動子１１を用いたニオイセンサー１０において、質量変化量ΔＭと、共振周波数の変化量Δｆとの関係は、以下のSauerbreyの式（２）で表すことができる。
【００６９】
【数１】
2012237617.tif 000003
但し、ρは水晶の密度、μは水晶のせん断弾性定数、Ａは有効振動面積であって、略電極面積である。
【００７０】
吸着膜１５は、所定のニオイ分子を吸着する材料、例えば、有機ポリマー材料で構成される。吸着膜１５は、水晶基板１２の両面（図１２において上面および下面）を、電極１３を含んで被覆するように、形成される。
【００７１】
吸着膜１５の形成方法としては、例えば、スピンコートや噴霧などにより塗布する方法が挙げられる。
【００７２】
このように構成されたニオイセンサー１０では、吸着膜１５に所定のニオイ分子が吸着すると、ニオイセンサー１０の質量が変化し、前述した式（２）に従って共振周波数が変化する。
【００７３】
本実施形態では、水晶振動子１１を用いたニオイセンサー１０の例を示したが、これに限定されない。例えば、（熱）酸化物半導体を用いたニオイセンサーなど、他の方式（形式）のニオイセンサーであってもよい。
【００７４】
図１１に示す検出部３０は、ニオイセンサー１０の共振周波数の変化量Δｆに基づいて、所定のニオイ分子を検出するためのものである。検出部３０には、各ニオイセンサー１０の信号線１４が接続されており、ニオイセンサー１０に所定のニオイ分子が吸着すると、当該ニオイセンサー１０から共振周波数の変化量Δｆに基づく検出信号が入力される。
【００７５】
本実施形態では、測定室２０内に４つのニオイセンサー１０を設置する例を示したが、これに限定されず、ニオイセンサー１０を測定室２０内に１つ設置するようにしてもよいし、２つ、３つ、または５つ以上設置するようにしてもよい。
【００７６】
なお、図１１に示すように、測定室２０の内部に複数のニオイセンサー１０を設置する場合、複数のニオイセンサー１０のそれぞれは、互いに異なる所定のニオイ分子の吸着により共振周波数が変化するように構成するのが好ましい。具体的には、それぞれのニオイセンサー１０において、吸着膜１５として、互いに異なる所定のニオイ分子に対して感応性を有する材料を選択すればよい。
【００７７】
また、測定室２０の内部には、供給管９１を介して、唾液に含まれるニオイ物質の発した所定のニオイ分子が、容器９０から供給される。
【００７８】
供給された所定のニオイ分子が、ニオイセンサー１０の吸着膜１５に吸着すると、共振周波数の変化量Δｆに基づく検出信号が、信号線１４を介して検出部３０に入力される。検出部３０は、この検出信号に基づいて、所定のニオイ分子を検出する。
【００７９】
このように、本実施形態のニオイ検出装置１００によれば、唾液に含まれるニオイ物質を検出するニオイ検出装置１００であって、本発明に係る試料採取デバイス５０，５０Ａの第１基板６１，６１Ａおよび第２基板７１，７１Ａを備える。これにより、唾液に含まれるニオイ物質を効率良く採取することができるので、唾液中に微量に（低濃度で）含まれるニオイ物質を検出することができる。
【００８０】
なお、前述した各実施形態の構成を組み合わせたり、あるいは、一部の構成部分を入れ替えたりしてもよい。また、本発明の構成は、前述した各実施形態にのみ限定されるものではなく、本発明の要旨を逸脱しない範囲内において種々変更を加えてもよい。
【符号の説明】
【００８１】
１０…ニオイセンサー、２０…測定室、３０…測定部、４２…真空ポンプ、５０，５０Ａ…試料採取デバイス、６１，６１Ａ…第１基板、６１ａ…上面、６１ｂ…凹部、７１，７１Ａ…第２基板、７１ａ…下面、７１ｂ…凸部、Ｔ…舌
【図１】
2012237617.tif 000004
【図２】
2012237617.tif 000005
【図３】
2012237617.tif 000006
【図４】
2012237617.tif 000007
【図５】
2012237617.tif 000008
【図６】
2012237617.tif 000009
【図７】
2012237617.tif 000010
【図８】
2012237617.tif 000011
【図９】
2012237617.tif 000012
【図１０】
2012237617.tif 000013
【図１１】
2012237617.tif 000014
【図１２】
2012237617.tif 000015